(57)【要約】      （修正有）【課題】携帯電話機等にＩＣチップ付のカードの取り付け、取り外しを容易にでき、かつ抜け落ちなどを発生させず、形状・構造が複雑でなく、付随させ得る携帯端末機用カバーを提供する。【解決手段】長方形の板状体を長手方向に沿って湾曲させるとともに、内側に段差２ａを介してカードＣを収納するための矩形状のカード収納部４が形成されたプラスチック製のケース本体２と、このケース本体２の長手方向の各側縁に沿って一体的に形成される、携帯端末機の側壁に嵌め合わされる保持部３とからなる。ケース本体２には、ケース収納部４のいずれか一方側の短辺と、この短辺と相対するケース本体の短辺との間に、保持されたカードＣを取り出すための溝状の爪掛け部５を形成する。【選択図】図１
0003159716.tif 000002
【実用新案登録請求の範囲】
【請求項１】
長方形の板状体を長手方向に沿って湾曲させるとともに、内側に段差を介してカードを収納するための矩形状のカード収納部が形成されたプラスチック製のケース本体と、
このケース本体の長手方向の各側縁に沿って一体的に形成される、携帯端末機の側壁に嵌め合わされる保持部とからなるものであって、
前記ケース収納部は、いずれか一方側の短辺と、この短辺と相対するケース本体の短辺との間に、保持されたカードを取り出すための溝状の爪掛け部が形成されていること
を特徴とする携帯端末機用カバー。
【請求項２】
前記ケース本体は、
長方形の板状体の短辺側も、上方に向かって湾曲していること
を特徴とする請求項１に記載の携帯端末機用カバー。
【請求項３】
前記ケース本体は、
保持せんとする携帯端末機の側面の形状に合わせて湾曲させた保持部を、各短辺側に廻り込むように延出させて携帯端末機のコーナー部を保持する延出部を有するもので、前記コーナー部における湾曲度合は、前記側面の湾曲度合と異なっていること
を特徴とする請求項１に記載の携帯端末機用カバー。
【請求項４】
前記ケース本体は、
その外表面に、薄いレザーなどからなる装飾シートが一体的に施されていること
を特徴とする請求項１〜３のいずれかに記載の携帯端末機用カバー。
【考案の詳細な説明】
【技術分野】
【０００１】
この考案は、携帯端末機に着脱自在に取付けられるカバーに関するものである。
具体的には、例えば、ＩＣチップ付の定期券やプリペイドカードなどのＩＣチップ付のカードを確実に保持することができるとともに、その脱着操作が容易であって、携帯端末機のコーナー部をも覆うことのできるスマートで、美麗な外観と感触を有するとともに、携帯端末機保護性能にも優れた携帯用端末機カバーに関するものである。
【背景技術】
【０００２】
携帯電話機などの携帯端末機は、学童から高齢者まで必需品とも言われるほど普及し、メーカーはマーケットシェアの拡大・保持のためしのぎを削っている。
そのため、各メーカーは、その機能やデザインなどに種々の工夫を凝らした製品を、幅広く供給し続けている。したがって、これら携帯電話機などにおいては、多種多様な製品が市場に溢れ、かつ愛用されている。
【０００３】
一方、携帯電話機の使用者は、多くの機種から好みの携帯電話機が自由に選択購入できるが、個性化の時代とも言われる現代においては、自己の愛用する携帯電話機の保護を兼ねるとともに、他者との差別化のために、手持ちの携帯電話機にさらにカバーを掛けることで差別化を図っているので、市場においても、消費者が好むカバーを提供するために種々の製品が開発され、手広く販売されている。
【０００４】
例えば、実用新案登録第３０４７３０３号公報（特許文献１）においては、多種多様に存在する携帯電話機の本体形状を象り、使用する携帯電話機にフィットするように、プラスチックで作られた携帯電話カバーが開示されている。
この携帯電話カバーは、装着しても携帯電話機としての大きさはほとんど変わらず、装着前と同じように使用することができるとともに、容易に取り外しができるので、カラーバリエーションを楽しむことができる、としている。
【０００５】
さらに、最近のものとしては、特許第４２６３７６６号公報（特許文献２）において、“〕 ”状又は“Ｖ”状凹溝で形成された弾性部を、携帯電話機カバーのケース本体と両側壁部との間、あるいはケース本体の中央に備えたバー型携帯端末機カバーが提案されている。
このバー型携帯端末機カバーは、前記弾性部の存在により着脱自由であるとともに、機器のコーナー部を完全に覆うスラリとした形態で、スマートで美麗な外観を持ち、製品の品質特性を顕著に向上させるとされている。
【０００６】
一方、携帯電話機は常に手元に置くもので、外出に際しても、当然字義通り携帯するものであるから、同様に外出に際して持ち歩く機会の多い品々、例えば、キップの代用となるプリペイドカードなどのカード状印刷物、小型で薄い鏡、レンズ等を携帯電話機に付随させる提案もなされている。
【０００７】
すなわち、特開２００４−１２００４６号公報（特許文献３）においては、携帯電話機の背面に着脱自在に装着される基板部に、カード状印刷物又は小型で薄い鏡、あるいはレンズを差込むことができる差込口を有する偏平状収納部を、少なくとも１以上形成した携帯電話機用小物収納具が提案されている。
【０００８】
前記携帯電話機用小物収納具は、基板部には、携帯電話機に差込自在に嵌合する嵌合空間が設けられ、この嵌合空間は、基板部の内壁面と、基板部に連設する左右の側壁部の内壁面と、これらの側壁部にそれぞれ連設する左右の係合爪部によって形成される、としている。
【先行技術文献】
【特許文献】
【０００９】
【特許文献１】実用新案登録第３０４７３０３号公報（請求項１，考案の詳細な説明）
【特許文献２】特許第４２６３７６６号公報（請求項１，発明の効果）
【特許文献３】特開２００４−１２００４６号公報（請求項１，要約）
【考案の概要】
【考案が解決しようとする課題】
【００１０】
特許文献３での提案の携帯電話機用小物収納具は、外出に際して持ち歩く機会の多い品々である、キップの代用となるプリペイドカードなどのカード状印刷物、小型で薄い鏡、さらには、レンズなどを携帯電話機に付随させるもので、いわゆる「ツーインワン」として、携帯電話機に付加機能・付加価値を付与するもので、興味深いものである。
【００１１】
しかしながら、特許文献３の携帯電話機用小物収納具は、携帯電話機に付随させるものとして、上記の様な種々の小物を対象としていること、これらの対象品には頻々に出し入れすることがある小物もあること、差し入れ自在に収納できる複数の収納部を設けるとともに、抜け落ちることを防止するために係合爪部、収納具を携帯電話機に取付けるための係脱手段などを必要とすることなど、小物の抜き出しにもそれなりの工夫がいるなど、複雑な構造とならざるを得ないものである。
【００１２】
一方、最近は、ＩＣチップ付のカード、定期券やプリペイドカードが急速に普及しているので、これらカードは、カード入れや財布から頻々に出し入れする必要が無く、外出に際して、カード入れや財布から取り出すことなく使用することができるようになってきている。
また、携帯電話機と同じく、定期券やプリペイドカードは外出に際して、老若男女に関係なく、持ち歩き、さらには使用することが幅広く行われている。
【００１３】
この考案はかかる現状に鑑み、携帯電話機カバーの内面に、薄板のカードを収める長方形の凹部を設けるとともに、その凹部に収められたカードを、爪先を利用して容易に取り出すための取出部を形成し、かかるカバー全体を湾曲させることによって、公知の携帯電話機用のカバーが有する課題を解決したものである。
【課題を解決するための手段】
【００１４】
前記目的を達成するため、この考案の携帯端末機用カバーは、
長方形の板状体を長手方向に沿って湾曲させるとともに、内側に段差を介してカードを収納するための矩形状のカード収納部が形成されたプラスチック製のケース本体と、
このケース本体の長手方向の各側縁に沿って一体的に形成される、携帯端末機の側壁に嵌め合わされる保持部とからなるものであって、
前記ケース収納部は、いずれか一方側の短辺と、この短辺と相対するケース本体の短辺との間に、保持されたカードを取り出すための溝状の爪掛け部が形成されていること
を特徴とするものである。
【００１５】
また、この考案の請求項２に記載の考案は、
請求項１に記載の携帯端末機用カバーにおいて、
前記ケース本体は、
長方形の板状体の短辺側も、上方に向かって湾曲していること
を特徴とするものである。
【００１６】
また、この考案の請求項３に記載の考案は、
請求項１に記載の携帯端末機用カバーにおいて、
前記ケース本体は、
保持せんとする携帯端末機の側面の形状に合わせて湾曲させた保持部を、各短辺側に廻り込むように延出させて携帯端末機のコーナー部を保持する延出部を有するもので、前記コーナー部における湾曲度合は、前記側面の湾曲度合と異なっていること
を特徴とするものである。
【００１７】
また、この考案の請求項４に記載の考案は、
請求項１〜３のいずれかに記載の携帯端末機用カバーにおいて、
前記ケース本体は、
その外表面に、薄いレザーなどからなる装飾シートが一体的に施されていること
を特徴とするものである。
【考案の効果】
【００１８】
この考案の携帯端末機用カバーは、ケース本体の内側に薄い板状のカードを収める矩形状のカード収納部が形成されるとともに、収納されたカードを取り出すために、前記カード収納部のいずれか一方側の短辺と、この短辺と相対するケース本体の短辺との間に、カードを取り出すための溝状の爪掛け部が形成されているので、カードを確実に収納でき、外出時に抜け出て紛失するというおそれはがなく、取り出しも容易である。
【００１９】
また、前記ケース本体は、長手方向に沿って裏面側を円弧状に膨出させ弧状とすることによって、ケース本体自体に強度を付与するとともに、カードとケース本体との接触面を少なくすることによって、カードの取り出しを容易にしている。
【００２０】
また、ケース本体の長手方向に沿う縁部に、保持せんとする携帯用端末の側面形状と一致する保持部を一体的に形成するとともに、その一部をケース本体の短辺側に廻り込むように延出させ、前記携帯端末機の各コーナー部を保持する延出部を設けることによって、
携帯端末機を確実にケース本体内に保持することができ、しかもケース本体に形成するカード収納部や保持部の弧状面によって奏される弾性によって、携帯端末機への取り付け、取り外しを容易なものとしている。
【００２１】
さらに、ケース本体および保持部に形成された外側に膨出する湾曲部によって、外観をスマートで美麗なものにするとともに、感触にも優れ、機器保護性能にも優れたものとすることができるものである。
【００２２】
さらにまた、携帯端末機用カバーの外表面に薄い皮革製などの装飾シートを施すことによって、上記特長をより一層発揮させることができ、構造が簡易なものであるので、プラスチックからの成形も、皮革シートなどの被覆による装飾シートの形成も容易である。
【図面の簡単な説明】
【００２３】
【図１】この考案の一実施例である携帯端末機用カバーの斜視図である。
【図２】図１に示す携帯端末機用カバーの断面図である。
【考案を実施するための形態】
【００２４】
以下、この考案にかかる携帯端末機用カバーを、添付の図面に基づいて具体的に説明する。
【００２５】
この考案の携帯端末機用カバー１は、図１で明らかなように、実質的に長方形の板状体からなるケース本体２と、このケース本体２の長方形の側縁に沿って上方に向かって一体的に形成される保持部３から構成されるものである。
【００２６】
かかるケース本体２と保持部３は熱可塑性樹脂、例えば、ポリカーボネートやポリエチレンテレフタレート樹脂などを使用して一体成型するものである。
【００２７】
このケース本体２の板厚は、後述するカード収納部４の深さを考慮し、かつ携帯端末機用カバー１自体の強度、さらには、保持部３の携帯端末機の側壁、特にその形状によって変化する嵌合性の難易を考慮して決められるが、通常０．５〜１ｍｍ程度にするのが好ましい。
なお、図１で示された携帯端末機用カバー１は、ポリカーボネートを用い、０．５ｍｍの厚さの平板から構成されたものである。
【００２８】
前記ケース本体２には、板状体の所要部位の表面部に、薄板状のカードＣを収める矩形状のカード収納部４が、段差２ａを介して形成されたものである。
【００２９】
このケース本体２の短辺側のいずれか一方側の中央部には、前記カード収納部４に収納されるカードＣを取り出すための爪掛け部５が、前記カード収納部４の短辺側からケース本体２の短辺側の側縁に到るよう溝状に形成されている。
【００３０】
この長方形の板状体からなるケース本体２は、図２で明らかなように、裏面の長手方向に沿う中央部が頂点となるよう全体を長手方向に弧状に湾曲形成したものである。
したがって、前記カード収納部４に収納されるカードは、カード収納部４の四隅部とは密着するものの、その表面部とは基本的に密着することがない。
したがって、ケース本体２から携帯電話機ＭＰを取外したのち、前記爪掛け部５に沿って指先を滑らせ、爪先をカードＣの縁部に引っ掛けることによって、カードＣ全体を容易に引き上げることができる。
【００３１】
また、ケース本体２の全体を、長手方向に弧状に湾曲形成させることによって、ケース本体２自体の強度を向上させることができるとともに、デザイン性を向上させ、スマートで華麗なものとすることができ、感触にも優れるものとすることができる。
さらに、ポケットなどへの出し入れに際し、ケース本体２全体がポケットと接触することないので、出し入れを容易にすることができる。
【００３２】
なお、このケース本体２は、図２に示されるように、前記カード収納部４の両方の短辺側２ｃ，２ｃも、上方に向かって緩やかに湾曲させることによって、外観の向上を図り、かつ手触り感を向上させている。
【００３３】
前記保持部３は、図１で明らかなように、前記ケース本体２の長手方向に沿った側縁に上方に向けて所要の高さで一体的に形成されるものである。
この保持部３は、携帯電話機ＭＰをケース本体２上に保持するためのものであって、本質的には、使用する携帯電話機の側壁に合わせた形状を有するものである。
【００３４】
また、保持部３は、携帯電話機ＭＰの側壁を完全にカバーするために、ケース本体２を構成する短辺側に廻り込むように延出部３ａを形成させることが好ましい。
この延出部３ａの形成によって、携帯電話機ＭＰの保護機能を、コーナー部を含めて著しく向上させることができる。
【００３５】
そのため、着脱の容易性ならびに保持の確実性を考慮すると、この保持部３は、携帯電話機ＭＰの形状に合わせて湾曲させ、かつコーナー部における湾曲の度合を変化させ、確実に嵌合させるとともに簡単には外れないようにするのが好ましい。
【００３６】
かかるケース本体２と保持部３を一体的に成形する手段に格別な制限はなく、一般的な熱可塑性樹脂の成形法、例えば、射出成形、真空成形、プレス加工などにより行うことができる。
なお、図には示されていないが、携帯端末機用カバー１の外表面に薄いレザーなどからなる装飾シートを一体的に施すことによって、外観を優れたものにするとともに感触にも優れた製品とすることができる。
この装飾シートの形成も通常の方法で行うことができ、装飾シートとしては、０．５〜１ｍｍ程度の厚みを有するものが好ましい。
【００３７】
また、図１に示される真円又は長円状の透孔６，７，８等は、携帯電話機ＭＰの機能、音声入出力、音量調整、カメラアイなどに利用されるものである。
【００３８】
かかる構成を有する携帯端末機用カバー１は、使用に際しては、図１に示すように、まずケース本体２に形成されたカード収納部４に、カードＣを収納する。
収納された前記カードＣは、各コーナーはケース本体２と接するものの、その大部分はケース本体２上に密着していない。
【００３９】
しかるのち、ケース本体２の長手方向の両側縁に形成された保持部３を用いて、携帯端末機用カバー１を携帯電話機ＭＰに嵌合させるに際し、前記透孔６，７，８を利用して携帯電話機ＭＰの機能が発揮できるようセットしたのち、ケース本体２内に携帯電話機ＭＰを保持させる。
【００４０】
その際、長手方向の両側縁に形成された保持部３には、ケース本体２の短辺側に回り込む延出部３ａが形成されているので、携帯電話機ＭＰの各コーナー部が各延出部３ａによって確実に保持されるので、携帯電話機ＭＰはケース本体２から離脱するおそれが全くなくなるものである。
【００４１】
かくしてカードＣと携帯電話機ＭＰが収納された携帯端末機用カバー１は、着衣のポケットや手持ちのバッグなどに収納され、ＩＣ付き定期券やプリペイドカードの機能の付与された携帯電話機ＭＰとして、定期券やプリペイドカードを一々取り出すことなく、それらを利用することを可能とするのである。
【００４２】
なお、ケース本体２内に収納されたカードＣは、ケース本体２の裏面部、すなわち、弧状に膨出した裏面部２ｂを改札口に設けられた接触部に軽く接触させると、裏面部２ｂはその弾性によって水平状に延びるので、カードＣの機能はなんら損なわれるおそれがないものである。
【産業上の利用可能性】
【００４３】
この考案の携帯端末機用カバーは、日常的に使用される携帯端末機に色彩や形状にバラエティーをもたらせるとともに、携帯端末機の機能を保護するだけでなく、本来別体のＩＣ付き定期券やプリペイドカードを安全に且つ確実に、携帯端末機に付随させることができ、ＩＣ付き定期券やプリペイドカードの取扱い性を著しく向上させるもので、携帯端末機関連業界で幅広く利用されるものである。
【符号の説明】
【００４４】
１          携帯端末機用カバー
２          ケース本体
２ａ        段部
２ｂ        膨出部
２ｃ        短辺側
３          保持部
３ａ        延出部
４          カード収納部
５          爪掛け部
６，７，８  透孔
Ｃ          カード
ＭＰ        携帯電話機
【図１】
0003159716.tif 000003
【図２】
0003159716.tif 000004
【手続補正書】
【提出日】平成22年3月17日(2010.3.17)
【手続補正１】
【補正対象書類名】実用新案登録請求の範囲
【補正対象項目名】全文
【補正方法】変更
【補正の内容】
【実用新案登録請求の範囲】
【請求項１】
長方形の板状体を長手方向に沿って湾曲させるとともに、内側に段差を介してカードを収納するための矩形状のカード収納部が形成されたプラスチック製のケース本体と、
このケース本体の長手方向の各側縁に沿って一体的に形成される、携帯端末機の側壁に嵌め合わされる保持部とからなるものであって、
前記ケース本体には、前記カード収納部のいずれか一方側の短辺と、この短辺と相対するケース本体の短辺との間に、保持されたカードを取り出すための溝状の爪掛け部が形成されていること
を特徴とする携帯端末機用カバー。
【請求項２】
前記ケース本体は、
長方形の板状体の短辺側も、上方に向かって湾曲していること
を特徴とする請求項１に記載の携帯端末機用カバー。
【請求項３】
前記ケース本体は、
保持せんとする携帯端末機の側面の形状に合わせて湾曲させた保持部を、各短辺側に廻り込むように延出させて携帯端末機のコーナー部を保持する延出部を有するもので、前記コーナー部における湾曲度合は、前記側面の湾曲度合と異なっていること
を特徴とする請求項１に記載の携帯端末機用カバー。
【請求項４】
前記ケース本体は、
その外表面に、薄いレザーなどからなる装飾シートが一体的に施されていること
を特徴とする請求項１〜３のいずれかに記載の携帯端末機用カバー。
【手続補正２】
【補正対象書類名】明細書
【補正対象項目名】全文
【補正方法】変更
【補正の内容】
【考案の詳細な説明】
【技術分野】
【０００１】
この考案は、携帯端末機に着脱自在に取付けられるカバーに関するものである。
具体的には、例えば、ＩＣチップ付の定期券やプリペイドカードなどのＩＣチップ付のカードを確実に保持することができるとともに、その脱着操作が容易であって、携帯端末機のコーナー部をも覆うことのできるスマートで、美麗な外観と感触を有するとともに、携帯端末機保護性能にも優れた携帯用端末機カバーに関するものである。
【背景技術】
【０００２】
携帯電話機などの携帯端末機は、学童から高齢者まで必需品とも言われるほど普及し、メーカーはマーケットシェアの拡大・保持のためしのぎを削っている。
そのため、各メーカーは、その機能やデザインなどに種々の工夫を凝らした製品を、幅広く供給し続けている。したがって、これら携帯電話機などにおいては、多種多様な製品が市場に溢れ、かつ愛用されている。
【０００３】
一方、携帯電話機の使用者は、多くの機種から好みの携帯電話機が自由に選択購入できるが、個性化の時代とも言われる現代においては、自己の愛用する携帯電話機の保護を兼ねるとともに、他者との差別化のために、手持ちの携帯電話機にさらにカバーを掛けることが広く行われているので、市場においても、消費者が好むカバーを提供するために種々の製品が開発され、手広く販売されている。
【０００４】
例えば、実用新案登録第３０４７３０３号公報（特許文献１）においては、多種多様に存在する携帯電話機の本体形状を象り、使用する携帯電話機にフィットするように、プラスチックで作られた携帯電話カバーが開示されている。
この携帯電話カバーは、装着しても携帯電話機としての大きさはほとんど変わらず、装着前と同じように使用することができるとともに、容易に取り外しができるので、カラーバリエーションを楽しむことができる、としている。
【０００５】
さらに、最近のものとしては、特許第４２６３７６６号公報（特許文献２）において、“〕 ”状又は“Ｖ”状凹溝で形成された弾性部を、携帯電話機カバーのケース本体と両側壁部との間、あるいはケース本体の中央に備えたバー型携帯端末機カバーが提案されている。
このバー型携帯端末機カバーは、前記弾性部の存在により着脱自由であるとともに、機器のコーナー部を完全に覆うスラリとした形態で、スマートで美麗な外観を持ち、製品の品質特性を顕著に向上させるとされている。
【０００６】
一方、携帯電話機は常に手元に置くもので、外出に際しても、当然字義通り携帯するものであるから、同様に外出に際して持ち歩く機会の多い品々、例えば、キップの代用となるプリペイドカードなどのカード状印刷物、小型で薄い鏡、レンズ等を携帯電話機に付随させる提案もなされている。
【０００７】
すなわち、特開２００４−１２００４６号公報（特許文献３）においては、携帯電話機の背面に着脱自在に装着される基板部に、カード状印刷物又は小型で薄い鏡、あるいはレンズを差込むことができる差込口を有する偏平状収納部を、少なくとも１以上形成した携帯電話機用小物収納具が提案されている。
【０００８】
前記携帯電話機用小物収納具は、基板部には、携帯電話機に差込自在に嵌合する嵌合空間が設けられ、この嵌合空間は、基板部の内壁面と、基板部に連設する左右の側壁部の内壁面と、これらの側壁部にそれぞれ連設する左右の係合爪部によって形成される、としている。
【先行技術文献】
【特許文献】
【０００９】
【特許文献１】実用新案登録第３０４７３０３号公報（請求項１，考案の詳細な説明）
【特許文献２】特許第４２６３７６６号公報（請求項１，発明の効果）
【特許文献３】特開２００４−１２００４６号公報（請求項１，要約）
【考案の概要】
【考案が解決しようとする課題】
【００１０】
特許文献３での提案の携帯電話機用小物収納具は、外出に際して持ち歩く機会の多い品々である、キップの代用となるプリペイドカードなどのカード状印刷物、小型で薄い鏡、さらには、レンズなどを携帯電話機に付随させるもので、いわゆる「ツーインワン」として、携帯電話機に付加機能・付加価値を付与するもので、興味深いものである。
【００１１】
しかしながら、特許文献３の携帯電話機用小物収納具は、携帯電話機に付随させるものとして、上記の様な種々の小物を対象としていること、これらの対象品には頻々に出し入れすることがある小物もあること、差し入れ自在に収納できる複数の収納部を設けるとともに、抜け落ちることを防止するために係合爪部、収納具を携帯電話機に取付けるための係脱手段などを必要とすることなど、小物の抜き出しにもそれなりの工夫がいるなど、複雑な構造とならざるを得ないものである。
【００１２】
一方、最近は、ＩＣチップ付のカード、定期券やプリペイドカードが急速に普及しているので、これらカードは、カード入れや財布から頻々に出し入れする必要が無く、外出に際して、カード入れや財布から取り出すことなく使用することができるようになってきている。
また、携帯電話機と同じく、定期券やプリペイドカードは外出に際して、老若男女に関係なく、持ち歩き、さらには使用することが幅広く行われている。
【００１３】
この考案はかかる現状に鑑み、携帯電話機カバーの内面に、薄板のカードを収める長方形の凹部を設けるとともに、その凹部に収められたカードを、爪先を利用して容易に取り出すための取出部を形成し、かかるカバー全体を湾曲させることによって、公知の携帯電話機用のカバーが有する課題を解決したものである。
【課題を解決するための手段】
【００１４】
前記目的を達成するため、この考案の携帯端末機用カバーは、
長方形の板状体を長手方向に沿って湾曲させるとともに、内側に段差を介してカードを収納するための矩形状のカード収納部が形成されたプラスチック製のケース本体と、
このケース本体の長手方向の各側縁に沿って一体的に形成される、携帯端末機の側壁に嵌め合わされる保持部とからなるものであって、
前記ケース本体には、前記カード収納部のいずれか一方側の短辺と、この短辺と相対するケース本体の短辺との間に、保持されたカードを取り出すための溝状の爪掛け部が形成されていること
を特徴とするものである。
【００１５】
また、この考案の請求項２に記載の考案は、
請求項１に記載の携帯端末機用カバーにおいて、
前記ケース本体は、
長方形の板状体の短辺側も、上方に向かって湾曲していること
を特徴とするものである。
【００１６】
また、この考案の請求項３に記載の考案は、
請求項１に記載の携帯端末機用カバーにおいて、
前記ケース本体は、
保持せんとする携帯端末機の側面の形状に合わせて湾曲させた保持部を、各短辺側に廻り込むように延出させて携帯端末機のコーナー部を保持する延出部を有するもので、前記コーナー部における湾曲度合は、前記側面の湾曲度合と異なっていること
を特徴とするものである。
【００１７】
また、この考案の請求項４に記載の考案は、
請求項１〜３のいずれかに記載の携帯端末機用カバーにおいて、
前記ケース本体は、
その外表面に、薄いレザーなどからなる装飾シートが一体的に施されていること
を特徴とするものである。
【考案の効果】
【００１８】
この考案の携帯端末機用カバーは、ケース本体の内側に薄い板状のカードを収める矩形状のカード収納部が形成されるとともに、収納されたカードを取り出すために、前記カード収納部のいずれか一方側の短辺と、この短辺と相対するケース本体の短辺との間に、カードを取り出すための溝状の爪掛け部が形成されているので、カードを確実に収納でき、外出時に抜け出て紛失するというおそれがなく、取り出しも容易である。
【００１９】
また、前記ケース本体は、長手方向に沿って裏面側を円弧状に膨出させ弧状とすることによって、ケース本体自体に強度を付与するとともに、カードとケース本体との接触面を少なくすることによって、カードの取り出しを容易にしている。
【００２０】
また、ケース本体の長手方向に沿う縁部に、保持せんとする携帯用端末の側面形状と一致する保持部を一体的に形成するとともに、その一部をケース本体の短辺側に廻り込むように延出させ、前記携帯端末機の各コーナー部を保持する延出部を設けることによって、
携帯端末機を確実にケース本体内に保持することができ、しかもケース本体に形成するカード収納部や保持部の弧状面によって奏される弾性によって、携帯端末機への取り付け、取り外しを容易なものとしている。
【００２１】
さらに、ケース本体および保持部に形成された外側に膨出する湾曲部によって、外観をスマートで美麗なものにするとともに、感触にも優れ、機器保護性能にも優れたものとすることができるものである。
【００２２】
さらにまた、携帯端末機用カバーの外表面に薄い皮革製などの装飾シートを施すことによって、上記特長をより一層発揮させることができ、構造が簡易なものであるので、プラスチックからの成形も、皮革シートなどの被覆による装飾シートの形成も容易である。
【図面の簡単な説明】
【００２３】
【図１】この考案の一実施例である携帯端末機用カバーの斜視図である。
【図２】図１に示す携帯端末機用カバーの断面図である。
【考案を実施するための形態】
【００２４】
以下、この考案にかかる携帯端末機用カバーを、添付の図面に基づいて具体的に説明する。
【００２５】
この考案の携帯端末機用カバー１は、図１で明らかなように、実質的に長方形の板状体からなるケース本体２と、このケース本体２の長方形の側縁に沿って上方に向かって一体的に形成される保持部３から構成されるものである。
【００２６】
かかるケース本体２と保持部３は熱可塑性樹脂、例えば、ポリカーボネートやポリエチレンテレフタレート樹脂などを使用して一体成型されるものである。
【００２７】
このケース本体２の板厚は、後述するカード収納部４の深さを考慮し、かつ携帯端末機用カバー１自体の強度、さらには、保持部３の携帯端末機の側壁、特にその形状によって変化する嵌合性の難易を考慮して決められるが、通常０．５〜１ｍｍ程度にするのが好ましい。
なお、図１で示された携帯端末機用カバー１は、ポリカーボネートを用い、０．５ｍｍの厚さの平板から構成されたものである。
【００２８】
前記ケース本体２には、板状体の所要部位の表面部に、薄板状のカードＣを収める矩形状のカード収納部４が、段差２ａを介して形成されたものである。
【００２９】
このケース本体２の短辺側のいずれか一方側の中央部には、前記カード収納部４に収納されるカードＣを取り出すための爪掛け部５が、前記カード収納部４の短辺側からケース本体２の短辺側の側縁に到るよう溝状に形成されている。
【００３０】
この長方形の板状体からなるケース本体２は、図２で明らかなように、裏面の長手方向に沿う中央部が頂点となるよう全体を長手方向に弧状に湾曲形成したものである。
したがって、前記カード収納部４に収納されるカードは、カード収納部４の四隅部とは密着するものの、その表面部とは基本的に密着することがない。
したがって、ケース本体２から携帯電話機ＭＰを取外したのち、前記爪掛け部５に沿って指先を滑らせ、爪先をカードＣの縁部に引っ掛けることによって、カードＣ全体を容易に引き上げることができる。
【００３１】
また、ケース本体２の全体を、長手方向に弧状に湾曲形成させることによって、ケース本体２自体の強度を向上させることができるとともに、デザイン性を向上させ、スマートで華麗なものとすることができ、感触にも優れるものとすることができる。
さらに、ポケットなどへの出し入れに際し、ケース本体２全体がポケットと接触することないので、出し入れを容易にすることができる。
【００３２】
なお、このケース本体２は、図２に示されるように、前記カード収納部４の両方の短辺側２ｃ，２ｃも、上方に向かって緩やかに湾曲させることによって、外観の向上を図り、かつ手触り感を向上させている。
【００３３】
前記保持部３は、図１で明らかなように、前記ケース本体２の長手方向に沿った側縁に上方に向けて所要の高さで一体的に形成されるものである。
この保持部３は、携帯電話機ＭＰをケース本体２上に保持するためのものであって、本質的には、使用する携帯電話機の側壁に合わせた形状を有するものである。
【００３４】
また、保持部３は、携帯電話機ＭＰの側壁を完全にカバーするために、ケース本体２を構成する短辺側に廻り込むように延出部３ａを形成させることが好ましい。
この延出部３ａの形成によって、携帯電話機ＭＰの保護機能を、コーナー部を含めて著しく向上させることができる。
【００３５】
そのため、着脱の容易性ならびに保持の確実性を考慮すると、この保持部３は、携帯電話機ＭＰの形状に合わせて湾曲させ、かつコーナー部における湾曲の度合を変化させ、確実に嵌合させるとともに簡単には外れないようにするのが好ましい。
【００３６】
かかるケース本体２と保持部３を一体的に成形する手段に格別な制限はなく、一般的な熱可塑性樹脂の成形法、例えば、射出成形、真空成形、プレス加工などにより行うことができる。
なお、図には示されていないが、携帯端末機用カバー１の外表面に薄いレザーなどからなる装飾シートを一体的に施すことによって、外観を優れたものにするとともに感触にも優れた製品とすることができる。
この装飾シートの形成も通常の方法で行うことができ、装飾シートとしては、０．５〜１ｍｍ程度の厚みを有するものが好ましい。
【００３７】
また、図１に示される真円又は長円状の透孔６，７，８等は、携帯電話機ＭＰの機能、音声入出力、音量調整、カメラアイなどに利用されるものである。
【００３８】
かかる構成を有する携帯端末機用カバー１は、使用に際しては、図１に示すように、まずケース本体２に形成されたカード収納部４に、カードＣを収納する。
収納された前記カードＣは、各コーナーがケース本体２と接するものの、その大部分はケース本体２上に密着していない。
【００３９】
しかるのち、ケース本体２の長手方向の両側縁に形成された保持部３を用いて、携帯端末機用カバー１を携帯電話機ＭＰに嵌合させるに際し、前記透孔６，７，８を利用して携帯電話機ＭＰの機能が発揮できるようセットしたのち、ケース本体２内に携帯電話機ＭＰを保持させる。
【００４０】
その際、長手方向の両側縁に形成された保持部３には、ケース本体２の短辺側に回り込む延出部３ａが形成されているので、携帯電話機ＭＰの各コーナー部が各延出部３ａによって確実に保持されるので、携帯電話機ＭＰはケース本体２から離脱するおそれが全くなくなるものである。
【００４１】
かくしてカードＣと携帯電話機ＭＰが収納された携帯端末機用カバー１は、着衣のポケットや手持ちのバッグなどに収納され、ＩＣ付き定期券やプリペイドカードの機能の付与された携帯電話機ＭＰとして、定期券やプリペイドカードを一々取り出すことなく、それらを利用することを可能とするのである。
【００４２】
なお、ケース本体２内に収納されたカードＣは、ケース本体２の裏面部、すなわち、弧状に膨出した裏面部２ｂを改札口に設けられた接触部に軽く接触させると、裏面部２ｂはその弾性によって水平状に延びるので、カードＣの機能はなんら損なわれるおそれがないものである。
【産業上の利用可能性】
【００４３】
この考案の携帯端末機用カバーは、日常的に使用される携帯端末機に色彩や形状にバラエティーをもたらせるとともに、携帯端末機の機能を保護するだけでなく、本来別体のＩＣ付き定期券やプリペイドカードを安全に且つ確実に、携帯端末機に付随させることができ、ＩＣ付き定期券やプリペイドカードの取扱い性を著しく向上させるもので、携帯端末機関連業界で幅広く利用されるものである。
【符号の説明】
【００４４】
１          携帯端末機用カバー
２          ケース本体
２ａ        段部
２ｂ        膨出部
２ｃ        短辺側
３          保持部
３ａ        延出部
４          カード収納部
５          爪掛け部
６，７，８  透孔
Ｃ          カード
ＭＰ        携帯電話機